(57)【特許請求の範囲】
【請求項１】
レーザダイオード及び該レーザダイオードの光量をモニタし、光量モニタ電流として出力するフォトダイオードから構成されるレーザデバイスと、
前記光量モニタ電流を電圧信号に変換する電流−電圧変換手段と、
比較基準となる任意の電圧を発生する基準電圧発生手段と、
前記電流−電圧変換手段と該基準電圧発生手段の各々の出力信号を比較する比較手段と、
該比較手段の出力をサンプル・ホルド制御信号に基づきサンプル・ホルドしてサンプル信号を出力する第１の信号保持手段と、
該サンプル信号の電圧レベルに応じて変化する電流を発生させる電流発生手段と、
該電流発生手段の出力電流を、外部映像信号に基づいて変調して変調電流を出力する変調手段と、
を備え、前記変調電流によって前記レーザダイオードを駆動するレーザ駆動装置において、
前記出力電流がリミット値を上回ったときに、前記変調電流を制御する制御手段と、
前記リミット値を新たな前記サンプル信号のレベルに応じて更新する更新手段とを備え、
前記制御手段によって前記出力電流が更新直前の前記リミット値を上回ったと判断されたときに、前記更新手段による前記リミット値の更新動作を中止することを特徴とするレーザ駆動装置。
【請求項２】
前記制御手段は、前記出力電流の前記変調手段への供給を遮断する手段であることを特徴とする請求項１に記載のレーザ駆動装置。
【請求項３】
前記制御手段は、前記出力電流の前記リミット値に対する超過分を吸収する手段であることを特徴とする請求項１に記載のレーザ駆動装置。
【請求項４】
前記制御手段は、前記外部映像信号の前記変調手段への供給を遮断する手段であることを特徴とする請求項１に記載のレーザ駆動装置。
【請求項５】
前記制御手段は、前記変調手段へ供給する前記出力電流の高周波成分を削減する手段であることを特徴とする請求項１に記載のレーザ駆動装置。
【請求項６】
前記更新手段は、前記新たなサンプル信号を更にサンプル・ホルドする第２の信号保持手段と、該第２の信号保持手段の出力を増幅して出力を前記リミット値とする増幅手段とを備えることを特徴とする請求項１乃至５のいずれか１項に記載のレーザ駆動装置。
【請求項７】
前記更新手段は、更に、前記出力電流の限界値を設定する出力電流限界設定手段と、該出力電流限界設定手段の出力と前記増幅手段の出力との加重平均を前記所定値とする加重平均演算手段とを備えることを特徴とする請求項６に記載のレーザ駆動装置。
【発明の詳細な説明】
【０００１】
【発明の属する技術分野】
本発明は画像形成装置におけるレーザ駆動装置に関するものである。
【０００２】
【従来の技術】
画像形成装置におけるレーザ駆動装置では、レーザ光量を所定値にするために、レーザダイオードの光量をモニタするフォト・ダイオードから出力される光量モニタ電流の変動量を検出し、その変動量を補正する電流をレーザダイオード駆動電流としている。
【０００３】
ところで、レーザダイオードに供給する電流には上限があり、それを超えた場合はレーザダイオードの破壊につながる。それを防止するために、従来では供給する電流に対して上限値を定め、電流リミッタにより、それ以上の電流をレーザダイオードに供給しないようにしている。
【０００４】
【発明が解決しようとする課題】
しかしながら、種類の異なるレーザダイオードにおいては各々その上限値が異なるにもかかわらず、上述した従来例にあっては、電流リミッタの設定値は固定値である。寿命に近いレーザダイオードは新品と比較し、同一の光量を得るためにより多くの電流を必要とする。従って、電流リミッタの設定値によっては、寿命に近いレーザダイオードから充分な光量が得られない結果となる。
【０００５】
そこで本発明は、レーザダイオードの駆動電流リミット値を、個々のレーザダイオード毎に経年変化をも考慮して設定でき、且つ、レーザダイオードの駆動電流リミット値が突発的に上昇しないレーザ駆動装置を提供することを目的とする。
【０００６】
また、本発明は、レーザダイオードの駆動電流をモニタし、その値から逐次電流リミッタの設定値を可変することにより、レーザダイオード駆動電流の急峻な上昇が発生した場合のみに、レーザダイオードへの電流の供給を遮断するようなレーザ駆動装置を提供することを目的とする。
【０００７】
更に、本発明は、レーザダイオードの駆動電流をモニタし、その値から逐次電流リミッタの設定値を可変することにより、レーザダイオード駆動電流の急峻な上昇が発生した場合のみに、レーザダイオードへ供給する値を電流リミッタの設定値以下に抑えるようなレーザ駆動装置を提供することを目的とする。
【０００８】
更に、本発明は、レーザダイオードの駆動電流をモニタし、その値から逐次電流リミッタの設定値を可変することにより、レーザダイオード駆動電流の急峻な上昇が発生した場合のみに、レーザダイオードの発光を強制的に停止するようなレーザ駆動制御方法を提供することを目的とする。
【０００９】
更に、本発明は、レーザダイオードの駆動電流をモニタし、その値から逐次電流リミッタの設定値を可変することにより、レーザダイオード駆動電流の急峻な上昇が発生した場合のみに、レーザダイオード駆動電流の高域ノイズ成分を除去するようなレーザ駆動制御方法を提供することを目的とする。
【００１０】
【課題を解決するための手段】
本発明によるレーザ駆動装置は、レーザダイオード及び該レーザダイオードの光量をモニタし、光量モニタ電流として出力するフォトダイオードから構成されるレーザデバイスと、前記光量モニタ電流を電圧信号に変換する電流−電圧変換手段と、比較基準となる任意の電圧を発生する基準電圧発生手段と、前記電流−電圧変換手段と該基準電圧発生手段の各々の出力信号を比較する比較手段と、該比較手段の出力をサンプル・ホルド制御信号に基づきサンプル・ホルドしてサンプル信号を出力する第１の信号保持手段と、該サンプル信号の電圧レベルに応じた電流を発生させる電流発生手段と、該電流発生手段の出力電流を、外部映像信号に基づいて変調して変調電流を出力する変調手段と、を備え、前記変調電流によって前記レーザダイオードを駆動するレーザ駆動装置において、前記出力電流がリミット値を上回ったときに、前記変調電流を制御する制御手段と、前記リミット値を新たな前記サンプル信号のレベルに応じて更新する更新手段とを備え、前記制御手段によって前記出力電流が更新直前の前記リミット値を上回ったと判断されたときに、前記更新手段による前記リミット値の更新動作を中止することを特徴とする。
【００１１】
また、本発明によるレーザ駆動装置は、前記制御手段が、前記出力電流の前記変調手段への供給を遮断する手段であることを特徴とする。
【００１２】
又は、本発明によるレーザ駆動装置は、前記制御手段が、前記出力電流の前記リミット値に対する超過分を吸収する手段であることを特徴とする。
【００１３】
又は、本発明によるレーザ駆動装置は、前記制御手段が、前記外部映像信号の前記変調手段への供給を遮断する手段であることを特徴とする。
【００１４】
又は、本発明によるレーザ駆動装置は、前記制御手段が、前記変調手段へ供給する前記出力電流の高周波成分を削減する手段であることを特徴とする。
【００１５】
更に、本発明によるレーザ駆動装置は、前記更新手段は、前記新たなサンプル信号を更にサンプル・ホルドする第２の信号保持手段と、該第２の信号保持手段の出力を増幅して出力を前記リミット値とする増幅手段とを備えることを特徴とする。
【００１６】
更に、本発明によるレーザ駆動装置は、前記更新手段が、更に、前記出力電流の限界値を設定する出力電流限界設定手段と、該出力電流限界設定手段の出力と前記増幅手段の出力との加重平均を前記所定値とする加重平均演算手段とを備えることを特徴とする。
【００１７】
【発明の実施の形態】
［実施形態１］
図１は本発明の実施形態１を示すレーザ駆動装置を説明するブロック図である。
【００１８】
１は半導体レーザで、レーザ光を発射するレーザ・ダイオード及びその発光レベルをモニタするフォト・ダイオードから構成される。フォト・ダイオードはレーザ・ダイオードの発光量に相当する電流を出力して、その電流はＩ−Ｖ変換回路２において電圧変換される。電圧変換された信号は、基準電圧発生回路３の出力電圧値と比較器４にて比較される。
【００１９】
６はサンプル＆ホルド回路で、任意の周期を以って、サンプル・モードとホルド・モードを繰り返す。サンプル・モード時、Ｉ−Ｖ変換回路２出力電圧値が基準電圧発生回路３の出力電圧値より小さい時はホルド・コンデンサ７の容量をチャージし、大きい時はディスチャージする。これにより定電流回路８から半導体レーザ１に供給するレーザドライブ電流９を制御することにより半導体レーザ１の発光量を一定に保つ。
【００２０】
変調制御回路１０は、ホルド・モード時に、任意に設定されたレーザダイオード駆動電流値を保ったまま、ビデオ（／ＶＤＯ）信号１１によりスイッチングすることにより半導体レーザ１をＯＮ／ＯＦＦ制御する。
【００２１】
閾値可変型電流リミッタ１１は、定電流回路８及び変調制御回路１０の間に挿入され、レーザドライブ電流９に比例する電圧である定電流出力信号２１を検出し、タイミング基準であるリミット設定基準信号２２に基づき、過電流の発生時にレーザドライブ電流９を遮断する。
【００２２】
図２は閾値可変型電流リミッタ２０の動作原理を示すタイミング・チャートである。
【００２３】
ドライブ電流限界値は、レーザに流すことのできる最大電流値で、これを超えた場合、レーザの破壊につながる。定電流出力信号２１で表されるレーザドライブ電流９は、半導体レーザ１の駆動電流で、サンプル＆ホルド制御信号５のタイミングで変動する。
【００２４】
一方、可変電流リミット信号３０は、レーザドライブ電流９に対応してリミット値を可変させ、その可変するタイミングは、例えば、サンプル＆ホルド制御信号５のサンプルモード直後に出力されるリミット値設定信号２５によって決定する。
【００２５】
過電流発生フラグ３３は、レーザドライブ電流９が可変電流リミット信号３０を超えた場合に出力される。図２中、レーザドライブ電流９にて破線部のように可変電流リミット信号３０を超えるような過電流が発生した場合、過電流発生フラグ３３を出力しレーザドライブ電流９を遮断する。更に、過電流発生フラグ３３が出力された場合、リミット値設定信号２５の出力を停止し、可変電流リミット信号３０の更新は行わない。
【００２６】
図３は閾値可変型電流リミッタ２０の詳細を示すブロック図である。
【００２７】
定電流回路８から出力される定電流出力信号２１は、リミット値サンプル＆ホルド回路２３に入力される。リミット値制御回路２４では、リミット設定基準信号２２に基づきリミット値設定信号２５を生成する。定電流出力信号２１は、リミット値設定信号２５によりチャージされるリミット値ホルドコンデンサ２６の電圧はミット値アンプ２７にて任意の値に増幅される。リミット値アンプ２７出力と電流限界値設定回路２８間に挿入された可変電流リミット信号設定回路２９により可変リミット信号３０が生成される。可変リミット信号３０は、例えば、抵抗分割によって構成される可変リミット設定回路２９により電流限界値設定回路２８の出力値とリミット値アンプ２７出力の分圧比で得られ、結果、定電流出力信号２１に対応した可変電流リミット信号３０となる。
【００２８】
リミット比較器３１において、定電流出力信号２１と可変電流リミット信号３０を比較し、定電流出力信号２１が過電流により可変電流リミット信号３０を超えた場合は、過電流発生フラグ３３が出力される。この時、カットオフトランジスタ３２は、変調制御回路１０及び定電流回路８の間に挿入し、過電流発生フラグ３３が出力された場合、オフになりレーザダイオード駆動電流を遮断する。同時に過電流発生フラグ３３は、リミット値制御回路２４にて、リミット値設定信号２５の出力を停止し、可変電流リミット信号３０の更新を中止する。
【００２９】
［実施形態２］
図４は、本発明の実施形態２を示すレーザ駆動装置を説明するブロック図である。リミット値可変型電流クリッパ３５は、定電流出力信号２１を検出し、リミット設定基準信号２２に基づき、レーザドライブ電流９を遮断すると同時に過電流分を吸収する。
【００３０】
図５はリミット値可変型電流クリッパ３５の動作原理を示すタイミング・チャートである。
【００３１】
ドライブ電流限界値は、レーザに流すことのできる最大電流値で、これを超えた場合レーザの破壊につながる。定電流出力信号２１で表されるレーザドライブ電流９は、半導体レーザ１の駆動電流で、サンプル＆ホルド制御信号５のタイミングで変動する。
【００３２】
一方、可変電流リミット信号３０は、レーザドライブ電流９に対応してリミット値を可変させ、その可変するタイミングは、例えば、サンプル＆ホルド制御信号５のサンプルモード直後に出力されるリミット値設定信号２５によって決定する。
【００３３】
過電流発生フラグ３３は、レーザドライブ電流９が可変電流リミット信号３０を超えた場合に出力される。図３中、レーザドライブ電流９にて破線部のように可変電流リミット信号３０を超えるような過電流が発生した場合、過電流分のみをレーザドライブ電流９から吸収し、半導体レーザ１に対しては、可変電流リミット信号３０以上のレーザドライブ電流９が供給されないように制御する。更に、過電流が発生した場合、過電流発生フラグ３３を出力し、リミット値設定信号２５の出力を停止させ、可変電流リミット信号３０の更新は行わない。
【００３４】
図６はリミット値可変型電流クリッパ３５の詳細を示すブロック図である。
【００３５】
定電流回路８から出力される定電流出力信号２１は、リミット値サンプル＆ホルド回路２３に入力される。リミット値制御回路２４では、タイミング基準であるリミット設定基準信号２２に基づきリミット値設定信号２５を生成する。定電流出力信号２１は、リミット値設定信号２５によりチャージされるリミット値ホルドコンデンサ２６の電圧はミット値アンプ２７にて任意の値に増幅される。リミット値アンプ２７出力と電流限界値設定回路２８間に挿入された可変電流リミット信号設定回路２９により可変電流リミット信号３０が生成される。可変リミット信号３０は、例えば、抵抗分割によって構成される可変電流リミット信号設定回路２９により電流限界値設定回路２８の出力値とリミット値アンプ２７出力の分圧比で得られ、結果、定電流出力信号２１に対応した可変電流リミット信号３０となる。
【００３６】
リミット比較器３１において、定電流出力信号２１と可変電流リミット信号３０を比較し、定電流出力信号２１が過電流により可変電流リミット信号３０を超えた場合は、過電流発生フラグ３３が出力される。３６は、クリップ回路で、例えば、トランジスタ、ダイオード及びバッファアンプにて構成する。過電流発生フラグ３３が出力した場合、クリップ回路３６を動作させ、レーザドライブ電流９を遮断し同時に、可変電流リミット信号３０に至る分を吸収する。
【００３７】
また、過電流発生フラグ３３が出力された場合、リミット値制御回路２４にてリミット値設定信号２５の出力を停止し、可変電流リミット信号３０の更新を中止する。
【００３８】
［実施形態３］
図７は、本発明の実施形態３を示すレーザ駆動装置を説明するブロック図である。リミット値可変型変調データ制御回路４０は、レーザドライブ電流９の電流量を表す定電流出力信号２１を検出し、タイミング基準であるリミット設定基準信号２２に基づき、過電流が発生した場合に／ＶＤＯ信号１１を制御し、半導体レーザ１を強制消灯する。
【００３９】
図８はリミット値可変型変調データ制御回路４０の動作原理を示すタイミング・チャートである。
【００４０】
ドライブ電流限界値は、レーザに流すことのできる最大電流値で、これを超えた場合レーザの破壊につながる。定電流出力信号２１で表されるレーザドライブ電流９は、半導体レーザ１の駆動電流で、サンプル＆ホルド制御信号５のタイミングで変動する。
【００４１】
一方、可変電流リミット信号３０は、レーザドライブ電流９に対応してリミット値を可変させ、その可変するタイミングは、例えば、サンプル＆ホルド制御信号５のサンプルモード直後に出力されるリミット値設定信号２５によって決定する。
【００４２】
過電流発生フラグ３３は、レーザドライブ電流９が可変電流リミット信号３０を超えた場合に出力される。図３中、レーザドライブ電流９にて破線部のように可変電流リミット信号３０を超えるような過電流が発生した場合、過電流発生フラグ３３が出力される。／ＶＤＯ制御信号４１は、／ＶＤＯ信号１１に基づき、過電流発生フラグ３３が出力された場合に強制的に半導体レーザ１を消灯させるようなデータ信号である。更に、過電流発生フラグ３３が出力された場合、リミット値設定信号２５の出力を停止して、可変電流リミット信号３０の更新は行わない。
【００４３】
図９はリミット値可変型変調データ制御回路４０の詳細を示すブロック図である。
【００４４】
定電流回路８から出力される定電流出力信号２１は、リミット値サンプル＆ホルド回路２３に入力される。リミット値制御回路２４は、タイミング基準であるリミット設定基準信号２２に基づきリミット値設定信号２５を生成する。定電流出力信号２１は、リミット値設定信号２５によりチャージされるリミット値ホルドコンデンサ２６の電圧はミット値アンプ２７にて任意の値に増幅される。リミット値アンプ２７出力と電流限界値設定回路２８間に挿入された可変電流リミット信号設定回路２９により可変電流リミット信号３０が生成される。可変電流リミット信号設定回路２９は、可変電流リミット信号３０は、例えば、抵抗分割によって構成される可変電流リミット信号設定回路２９で電流限界値設定回路２８の出力値とリミット値アンプ２７出力の分圧比で得られ、結果、定電流出力信号２１に対応した可変電流リミット信号３０となる。
【００４５】
リミット比較器３１において、定電流出力信号２１と可変電流リミット信号３０を比較し、過電流により可変電流リミット信号３０を超えた場合は、過電流発生フラグ３３が出力される。４２は、変調データ制御回路で、過電流発生フラグ３３が出力された場合、／ＶＤＯ信号１１を強制消灯させるような／ＶＤＯ制御信号４１を生成する。
【００４６】
また、過電流発生フラグ３３が出力された場合、リミット値制御回路２４にてリミット値設定信号２５の出力を停止し、可変電流リミット信号３０の更新を中止する。
【００４７】
［実施形態４］
図１０は、本発明の実施形態４を示すレーザ駆動装置を説明するブロック図である。可変型スナバ制御回路５０は、レーザドライブ電流９の電流量を表す定電流出力信号２１を検出し、タイミング基準であるリミット設定基準信号２２に基づき、過電流が発生した場合に高周波数応答を抑えることにより、半導体レーザ１への急峻な過電流の供給を阻止する。
【００４８】
図１１は可変型スナバ制御回路５０の動作原理を示すタイミング・チャートである。
【００４９】
ドライブ電流限界値は、レーザに流すことのできる最大電流値で、これを超えた場合レーザの破壊につながる。定電流出力信号２１で表されるレーザドライブ電流９は、半導体レーザ１の駆動電流で、サンプル＆ホルド制御信号５のタイミングで変動する。
【００５０】
一方、可変電流リミット信号３０は、レーザドライブ電流９に対応してリミット値を可変させ、その可変するタイミングは、例えば、サンプル＆ホルド制御信号５のサンプルモード直後に出力されるリミット値設定信号２５によって決定する。
【００５１】
スナバ制御信号５３は、レーザドライブ電流９が可変電流リミット信号３０を超えた場合にオンする。図１１中、レーザドライブ電流９にて破線部のように可変電流リミット信号３０を超えるような過電流が発生した場合、スナバ制御信号５３をオンにする。スナバ制御信号５３がオンした場合、接続されたスナバ回路５１（図１２）の働きにより、レーザドライブ電流９の周波数応答を抑えることにより半導体レーザ１に過電流が流れるのを防止する。更に、スナバ制御信号５３に基づいて生成される過電流発生フラグが出力された場合、リミット値設定信号２５の出力を停止し、可変電流リミット信号３０の更新は行わない。
【００５２】
図１２は可変型スナバ制御回路５０の詳細を示すブロック図である。
【００５３】
定電流回路８から出力される定電流出力信号２１は、リミット値サンプル＆ホルド回路２３に入力される。リミット値制御回路２４は、リミット設定基準信号２２に基づきリミット値設定信号２５を生成する。定電流出力信号２１は、リミット値設定信号２５によりチャージされるリミット値ホルドコンデンサ２６の電圧はミット値アンプ２７にて任意の値に増幅される。リミット値アンプ２７出力と電流限界値設定回路２８間に挿入された可変電流リミット信号設定回路２９により可変電流リミット信号３０が生成される。可変電流リミット信号３０は、例えば、抵抗分割によって構成される可変電流リミット信号設定回路２９で電流限界値設定回路２８の出力値とリミット値アンプ２７出力の分圧比で得られ、結果、定電流出力信号２１に対応した可変電流リミット信号３０となる。
【００５４】
リミット比較器３１において、定電流出力信号２１と可変電流リミット信号３０を比較し、過電流により可変電流リミット信号３０を超えた場合は、スナバ制御信号５３を出力する。５１は、スナバ回路で、スナバ制御信号５３がオンした場合、レーザドライブ電流９の高周波数応答を抑える構成を採る。
【００５５】
また、スナバ制御信号５３をインバータ５４にて極性反転した信号から過電流発生フラグ３３を生成し、それが出力された場合、リミット値制御回路２４にてリミット値設定信号２５の出力を停止し、可変電流リミット信号３０の更新を中止する。
【００５６】
【発明の効果】
以上説明したように、第１の実施形態によれば、電流リミッタの閾値をレーザドライブ電流から生成し、かつ逐次更新し、電流源で発生する突発的な過電流に対してのみレーザダイオードへの電流供給を遮断することにより、レーザダイオードの種類に依らず寿命範囲での使用を最大限に有効活用できかつ過電流防止が実現するという効果を奏する。
【００５７】
また、第２の実施形態によれば、電流リミッタの閾値をレーザドライブ電流から生成し、かつ逐次更新し、電流源で発生する突発的な過電流に対してのみ有効な電流供給のバイパスを設けることにより、レーザダイオードの種類に依らず寿命範囲での使用を最大限に有効活用できかつ電流を遮断すること無く過電流防止が実現するという効果を奏する。
【００５８】
また、第３の実施形態によれば、電流リミッタの閾値をレーザドライブ電流から生成し、かつ逐次更新し、電流源で発生する突発的な過電流に対してのみレーザダイオードを強制消灯することにより、レーザダイオードの種類に依らず寿命範囲での使用を最大限に有効活用できかつ過電流防止が回路構成の省力化を以って実現するという効果を奏する。
【００５９】
また、第４の実施形態によれば、電流リミッタの閾値をレーザドライブ電流から生成し、かつ逐次更新し、電流源で発生する突発的な過電流に対してのみレーザドライブ電流の高域ノイズ成分を除去することにより、レーザダイオードの種類に依らず寿命範囲での使用を最大限に有効活用できかつ電流を遮断すること無く過電流防止が回路構成の省力化を以って実現するという効果を奏する。
【図面の簡単な説明】
【図１】本発明の実施形態１におけるレーザ駆動装置の概要図である。
【図２】本発明の実施形態１におけるレーザ駆動装置の動作原理を示すタイミングチャートである。
【図３】本発明の実施形態１におけるレーザ駆動回路の主要ブロック図である。
【図４】本発明の実施形態２におけるレーザ駆動装置の概要図である。
【図５】本発明の実施形態２におけるレーザ駆動装置の動作原理を示すタイミングチャートである。
【図６】本発明の実施形態２におけるレーザ駆動回路の主要ブロック図である。
【図７】本発明の実施形態３におけるレーザ駆動装置の概要図である。
【図８】本発明の実施形態３におけるレーザ駆動装置の動作原理を示すタイミングチャートである。
【図９】本発明の実施形態３におけるレーザ駆動回路の主要ブロック図である。
【図１０】本発明の実施形態４におけるレーザ駆動装置の概要図である。
【図１１】本発明の実施形態４におけるレーザ駆動装置の動作原理を示すタイミングチャートである。
【図１２】本発明の実施形態４におけるレーザ駆動回路の主要ブロック図である。
【符号の説明】
１  半導体レーザ
２  電流−電圧（Ｉ−Ｖ）変換回路
３  基準電圧発生回路
４  比較器
５  サンプル＆ホルド制御信号
６  サンプル＆ホルド回路
７  ホルド・コンデンサ
８  定電流回路
９  レーザドライブ電流
１０  変調制御回路
１１  ビデオ（／ＶＤＯ）信号
２０  閾値可変型電流リミッタ
２１  定電流出力信号
２２  リミット設定基準信号
２３  リミット値サンプル＆ホルド回路
２４  リミット値制御回路
２５  リミット値設定信号
２６  リミット値ホルドコンデンサ
２７  リミット値アンプ
２８  電流限界値設定回路
２９  可変電流リミット信号設定回路
３０  可変電流リミット信号
３１  リミット比較器
３２  カットオフトランジスタ
３３  過電流発生フラグ
３５  リミット値可変型電流クリッパ
３６  クリップ回路
４０  リミット値可変型変調データ制御回路
４１  ビデオ（／ＶＤＯ）制御信号
４２  変調データ制御回路
５０  可変型スナバ制御回路
５１  スナバ回路
５２  スナバ信号
５３  スナバ制御信号
５４  インバータ
【図１】
0003703270.tif 000002
【図２】
0003703270.tif 000003
【図３】
0003703270.tif 000004
【図４】
0003703270.tif 000005
【図５】
0003703270.tif 000006
【図６】
0003703270.tif 000007
【図７】
0003703270.tif 000008
【図８】
0003703270.tif 000009
【図９】
0003703270.tif 000010
【図１０】
0003703270.tif 000011
【図１１】
0003703270.tif 000012
【図１２】
0003703270.tif 000013